(57)【要約】【課題】洗浄槽内に回転自在な洗浄ノズル４を設けた食器洗浄機であって、洗浄ノズルの流入筒部４１内に回転及び上下動自在な弁体４５を設け、流入筒部に洗浄水を供給するポンプの一時停止後の再駆動で弁体が一旦下動してから上動する度に、カム機構の働きで、弁体が、ノズル内の第１流路に洗浄水を供給する第１回転位置とノズル内の第２流路に洗浄水を供給する第２回転位置とに交互に位置決めされるようにしたものにおいて、メンテナンス性向上のため、洗浄ノズルから流入筒部を取り外すことなく、弁体を流入筒部から取り出すことができるようにする。【解決手段】弁体４５の下動時に、弁体４５に設けた第２カム部４６３に当接して、弁体４５を周方向一方に一定角度回転させる第２ガイド部４６４を、流入筒部４１ではなく、流入筒部４１の下方位置で洗浄槽に固定される支持部材２４に設ける。【選択図】図６
2018061821.tif 000002
【特許請求の範囲】
【請求項１】
食器類を収納する洗浄槽と、洗浄槽内に上下方向の回転軸線回りに回転自在に支持される洗浄ノズルと、洗浄槽内の洗浄水を洗浄ノズルに供給する洗浄ポンプとを備え、洗浄ポンプから供給される洗浄水の水圧に押されて洗浄ノズルが所定ストローク上動するようにした食器洗浄機であって、
洗浄ノズルに、回転軸線と同心で洗浄ポンプからの洗浄水が流入する流入筒部と、流入筒部内に各別の連通口を介して連通する第１流路及び第２流路とが設けられ、
流入筒部内に、回転及び上下動自在で、第１と第２の各流路の連通口に重なって流入筒部内に対する連通口の開度を可変する弁口を有する弁体が設けられ、弁体は、洗浄ノズルに対し所定の第１回転位置に回転したときに、第１流路の連通口の開度を第２流路の連通口の開度より大きくし、洗浄ノズルに対し所定の第２回転位置に回転したときに、第２流路の連通口の開度を第１流路の連通口の開度より大きくするように構成され、
弁体に、第１カム部が周方向に並べて複数設けられると共に、流入筒部に、洗浄ノズルに対する弁体の上動で各第１カム部に当接して、弁体を周方向一方に一定角度回転した位置に位置決めする第１ガイド部が周方向に並べて複数設けられ、各第１カム部が各第１ガイド部に当接して位置決めされた状態から当該各第１ガイド部の周方向一方に隣接する各第１ガイド部に当接して位置決めされた状態に切り替わる度に、弁体の回転位置が第１回転位置と第２回転位置とに交互に切り替わるようにしたものにおいて、
弁体に、第２カム部が周方向に並べて複数設けられると共に、流入筒部の下方位置で洗浄槽に固定される支持部材に、弁体の下動で各第２カム部に当接して、弁体を周方向一方に一定角度回転した位置に位置決めする第２ガイド部が周方向に並べて複数設けられ、
更に、流入筒部に、第３カム部が周方向に並べて複数設けられると共に、支持部材に、洗浄ノズルの下動で各第３カム部に当接して、各第１ガイド部が各第２ガイド部に対し周方向に所定の位置関係となる位置に洗浄ノズルを位置決めする第３ガイド部が周方向に並べて複数設けられ、この所定の位置関係は、各第２カム部と各第２ガイド部との当接により位置決めされた回転位置から弁体が洗浄ノズルに対し上動したときに、各第１カム部が弁体下動前に当接していた各第１ガイド部の周方向一方に隣接する各第１ガイド部に当接するように設定されることを特徴とする食器洗浄機。
【請求項２】
請求項１記載の食器洗浄機であって、前記洗浄ノズルは、前記流入筒部から上方にのびる中央ノズル部と、流入筒部から径方向外方にのびる、前記第１流路と前記第２流路が設けられたアームノズル部とを備えるものにおいて、流入筒部の周壁部に、第１流路の前記連通口と第２流路の前記連通口とが開設され、前記弁体は、流入筒部に内挿される筒部を有し、この筒部の周壁部に前記弁口が開設され、更に、弁体の上端に、筒部に流入した洗浄水の一部を中央ノズル部内に導く開口部が設けられることを特徴とする食器洗浄機。
【請求項３】
前記流入筒部の内周面と前記弁体の前記筒部の外周面とが上方に向かって縮径するテーパー面に形成され、弁体が上動した状態で、弁体の筒部の外周テーパー面が流入筒部の内周テーパー面に接することを特徴とする請求項２記載の食器洗浄機。
【請求項４】
前記洗浄槽内に設置する食器かごに、前記洗浄ノズルが所定ストローク上動したところで洗浄ノズルの所定部位に当接して、洗浄ノズルがそれ以上上動することを阻止するストッパ部が設けられることを特徴とする請求項１〜３の何れか１項記載の食器洗浄機。
【発明の詳細な説明】
【技術分野】
【０００１】
本発明は、食器類を収納する洗浄槽と、洗浄槽内に上下方向の回転軸線回りに回転自在に支持される洗浄ノズルと、洗浄槽内の洗浄水を洗浄ノズルに供給する洗浄ポンプとを備える食器洗浄機に関する。
【背景技術】
【０００２】
従来、この種の食器洗浄機において、特許文献１により、洗浄ノズルの回転方向一方を正転方向、回転方向他方を逆転方向として、洗浄ノズルに、回転軸線と同心で洗浄ポンプからの洗浄水が流入する流入筒部と、洗浄水を逆転方向の方向成分を持って噴射させて洗浄ノズルに正転方向の回転力を付与する第１回転噴射部と、洗浄水を正転方向の方向成分を持って噴射させて洗浄ノズルに逆転方向の回転力を付与する第２回転噴射部と、流入筒部内に連通口を介して連通し第１回転噴射部に洗浄水を導く第１流路と、流入筒部内に第１流路とは別の連通口を介して連通し第２回転噴射部に洗浄水を導く第２流路とを設けたものが知られている。尚、洗浄ノズルは、流入筒部が挿入される洗浄槽に固定の支持筒の上端部外周のフランジ部に下方から係合可能な爪部を有しており、洗浄ポンプから供給される洗浄水の水圧に押されて洗浄ノズルが所定ストローク上動したところで、爪部がフランジ部に係合して、洗浄ノズルがそれ以上上動しないようにしている。
【０００３】
また、このものでは、流入筒部内に、回転及び上下動自在で、第１と第２の各流路の連通口に重なって流入筒部内に対する連通口の開度を可変する弁口を有する弁体を設けている。弁体は、洗浄ノズルに対し所定の第１回転位置に回転したときに、第１流路の連通口の開度を第２流路の連通口の開度より大きくし、洗浄ノズルに対し所定の第２回転位置に回転したときに、第２流路の連通口の開度を第１流路の連通口の開度より大きくするように構成される。そのため、弁体が第１回転位置に位置決めされた状態では、第１回転噴射部からの洗浄水の噴射量が多くなって、洗浄ノズルが正転方向に回転し、弁体が第２回転位置に位置決めされた状態では、第２回転噴射部からの洗浄水の噴射量が多くなって、洗浄ノズルが逆転方向に回転する。
【０００４】
更に、弁体に、第１カム部を周方向に並べて複数設けると共に、流入筒部に、洗浄ノズルに対する弁体の上動で第１カム部に当接して、弁体を周方向一方に一定角度回転した位置に位置決めする第１ガイド部を周方向に並べて複数設けている。そして、各第１カム部が各第１ガイド部に当接して位置決めされた状態から当該各第１ガイド部の周方向一方に隣接する各第１ガイド部に当接して位置決めされた状態に切り替わる度に、弁体の回転位置が第１回転位置と第２回転位置とに交互に切り替わるようにしている。
【０００５】
また、弁体に、第２カム部を周方向に並べて複数設けると共に、流入筒部に、洗浄ノズルに対する弁体の下動で第２カム部に当接して、弁体を周方向一方に一定角度回転した位置に位置決めする第２ガイド部を周方向に並べて複数設けている。そして、弁体が各第２カム部と各第２ガイド部との当接で位置決めされた回転位置から弁体が洗浄ノズルに対し上動したとき、各第１カム部が弁体下動前に当接していた各第１ガイド部の周方向一方に隣接する各第１ガイド部に当接するようにしている。これにより、洗浄ポンプの一時停止後の再駆動で弁体が一旦下動してから上動する度に、弁体が第１回転位置と第２回転位置に交互に位置決めされ、洗浄ノズルの第１流路と第２流路に交互に洗浄水が供給されて、洗浄ノズルの回転方向が正転方向と逆転方向とに繰り返し反転されることになる。
【０００６】
ところで、食器洗浄機をある程度使用すると、洗浄水に含まれる食品かす等の異物が流入筒部内に溜り、弁体が異物の影響で正常に動作しなくなって、洗浄ノズルの第１流路と第２流路に交互に洗浄水を供給できなくなることがある。そのため、流入筒部から弁体を取り出して、弁体及び流入筒部の内部を定期的に清掃することが望まれる。
【０００７】
然し、上記従来例のものでは、流入筒部に、弁体に設けた第２カム部に当接する第２ガイド部が設けられているため、洗浄ノズルを持ち上げて取り外しても、第２カム部が第２ガイド部に干渉し、弁体を流入筒部から取り出すことができない。尚、第１ガイド部の下の流入筒部の部分を洗浄ノズルに対し着脱自在とすれば、流入筒部を洗浄ノズルから取り外して、弁体を流入筒部から取り出すことができる。然し、これでは、清掃の度に流入筒部の脱着作業を行うことが必要になり、流入筒部の脱着作業が面倒でメンテナンス作業性が悪くなる。
【先行技術文献】
【特許文献】
【０００８】
【特許文献１】特開２０１０−１９４１３８号公報
【発明の概要】
【発明が解決しようとする課題】
【０００９】
本発明は、以上の点に鑑み、洗浄ノズルから流入筒部を取り外すことなく、弁体を流入筒部から取り出すことができるようにしたメンテナンス作業性に優れた食器洗浄機を提供することをその課題としている。
【課題を解決するための手段】
【００１０】
上記課題を解決するために、本発明は、食器類を収納する洗浄槽と、洗浄槽内に上下方向の回転軸線回りに回転自在に支持される洗浄ノズルと、洗浄槽内の洗浄水を洗浄ノズルに供給する洗浄ポンプとを備え、洗浄ポンプから供給される洗浄水の水圧に押されて洗浄ノズルが所定ストローク上動するようにした食器洗浄機であって、洗浄ノズルに、回転軸線と同心で洗浄ポンプからの洗浄水が流入する流入筒部と、流入筒部内に各別の連通口を介して連通する第１流路及び第２流路とが設けられ、流入筒部内に、回転及び上下動自在で、第１と第２の各流路の連通口に重なって流入筒部内に対する連通口の開度を可変する弁口を有する弁体が設けられ、弁体は、洗浄ノズルに対し所定の第１回転位置に回転したときに、第１流路の連通口の開度を第２流路の連通口の開度より大きくし、洗浄ノズルに対し所定の第２回転位置に回転したときに、第２流路の連通口の開度を第１流路の連通口の開度より大きくするように構成され、弁体に、第１カム部が周方向に並べて複数設けられると共に、流入筒部に、洗浄ノズルに対する弁体の上動で各第１カム部に当接して、弁体を周方向一方に一定角度回転した位置に位置決めする第１ガイド部が周方向に並べて複数設けられ、各第１カム部が各第１ガイド部に当接して位置決めされた状態から当該各第１ガイド部の周方向一方に隣接する各第１ガイド部に当接して位置決めされた状態に切り替わる度に、弁体の回転位置が第１回転位置と第２回転位置とに交互に切り替わるようにしたものにおいて、弁体に、第２カム部が周方向に並べて複数設けられると共に、流入筒部の下方位置で洗浄槽に固定される支持部材に、弁体の下動で各第２カム部に当接して、弁体を周方向一方に一定角度回転した位置に位置決めする第２ガイド部が周方向に並べて複数設けられ、更に、流入筒部に、第３カム部が周方向に並べて複数設けられると共に、支持部材に、洗浄ノズルの下動で各第３カム部に当接して、各第１ガイド部が各第２ガイド部に対し周方向に所定の位置関係となる位置に洗浄ノズルを位置決めする第３ガイド部が周方向に並べて複数設けられ、この所定の位置関係は、各第２カム部と各第２ガイド部との当接により位置決めされた回転位置から弁体が洗浄ノズルに対し上動したときに、各第１カム部が弁体下動前に当接していた各第１ガイド部の周方向一方に隣接する各第１ガイド部に当接するように設定されることを特徴とする。
【００１１】
本発明でも、上記従来例と同様に、洗浄ポンプの一時停止後の再駆動で弁体が一旦下動してから上動する度に、弁体が第１回転位置と第２回転位置に交互に位置決めされ、洗浄ノズルの第１流路と第２流路とに交互に洗浄水が供給される。そして、本発明によれば、弁体に設けた第２カム部に当接する第２ガイド部を洗浄槽に固定の支持部材に設けるため、洗浄ノズルを持ち上げて取り外すことにより、第２カム部と第２ガイド部との干渉を生ずることなく、流入筒部から弁体を取り出すことができる。従って、弁体を取り出すために、流入筒部を洗浄ノズルから取り外す必要がなく、弁体及び流入筒部の洗浄のためのメンテナンス作業性が向上する。
【００１２】
ところで、洗浄ノズルが、流入筒部から上方にのびる中央ノズル部と、流入筒部から径方向外方にのびる、第１流路と第２流路とが設けられたアームノズル部とを備える場合、上記特許文献１に記載のものでは、流入筒部の上端の端壁部に、中央ノズル部に連通する中央連通口と、その周囲に、アームノズル部に設けられた第１と第２の各流路の連通口とを開設し、弁体は、端壁部の下面に当接可能な平板部を有するものとし、この平板部に、中央連通口に常時重なる中央の開口部と、第１と第２の各流路の連通口の開度を可変する弁口とを開設している。このものでは、限られた大きさの平板部に、中央の開口部と弁口とを開設する必要があることから、開口部と弁口の大きさが制限され、中央ノズル部やアームノズル部への洗浄水の供給量が不足しやすくなる。そして、洗浄水の供給不足を解消する上で、洗浄ポンプの能力を上げることが必要になる。
【００１３】
そのため、洗浄ノズルが上記の如く中央ノズル部とアームノズル部とを備える場合は、流入筒部の周壁部に、第１流路の連通口と第２流路の連通口とを開設し、弁体は、流入筒部に内挿される筒部を有するものとし、この筒部の周壁部に弁口を開設し、更に、弁体の上端に、筒部に流入した洗浄水の一部を中央ノズル部内に導く開口部を設けることが望ましい。これによれば、開口部が設けられる弁体上端とは異なる弁体周壁部に弁口が開設されるため、開口部と弁口を比較的大きくすることができる。その結果、洗浄ポンプの能力を上げなくても、中央ノズル部やアームノズル部への洗浄水の供給量を確保でき、ポンプの低騒音化、省電力化を図ることができる。
【００１４】
更に、流入筒部の内周面と弁体の筒部の外周面とを上方に向かって縮径するテーパー面に形成し、弁体が上動した状態で、弁体の筒部の外周テーパー面が流入筒部の内周テーパー面に接するようにすることが望ましい。これによれば、弁体の円滑な上下動を妨げることなく、流入筒部の内周面と弁体の筒部の外周面との間のシール性を確保して、弁口に重なる連通口以外への洗浄水の洩れを防止できる。
【００１５】
また、本発明においては、洗浄槽内に設置する食器かごに、洗浄ノズルが所定ストローク上動したところで洗浄ノズルの所定部位に当接して、洗浄ノズルがそれ以上上動することを阻止するストッパ部を設けることが望ましい。これによれば、洗浄槽から食器かごを取り外すだけで、洗浄ノズルを簡単に取り外すことができ、メンテナンス作業性が一層向上する。
【図面の簡単な説明】
【００１６】
【図１】本発明の実施形態の食器洗浄機の模式的断面図。
【図２】実施形態の食器洗浄機の洗浄ノズルの斜視図。
【図３】図２のＩＩＩ−ＩＩＩ線で切断した断面図。
【図４】図３のＩＶ−ＩＶ線で切断した断面図。
【図５】弁体が図４の位置から９０°回転した状態の図４に対応する要部の断面図。
【図６】（ａ）洗浄ノズルと弁体とを分離させた状態で斜め下方から見た斜視図、（ｂ）支持部材を斜め上方から見た斜視図。
【図７】第１カム部と第１ガイド部、第２カム部と第２ガイド部、及び、第３カム部と第３ガイド部の作用を説明する展開図。
【図８】第１カム部と第１ガイド部の変形例を示す展開図。
【図９】他の実施形態の食器洗浄機の図３に対応する断面図。
【発明を実施するための形態】
【００１７】
図１を参照して、本発明の実施形態の食器洗浄機は、外装ケース１と、外装ケース１内に扉２１と一体に引き出し自在に収納される洗浄槽２とを備えており、この洗浄槽２内に給水路３を介して水が供給される。給水路３には、給水弁３１が介設されている。
【００１８】
洗浄槽２内には、食器類Ｗを載置する食器かご２２と、食器かご２２に向けて洗浄水を噴射する洗浄ノズル４とが設けられている。また、洗浄槽２の下側には、洗浄槽２の底部に残菜フィルタ２３を介して接続される洗浄ポンプ５が設けられている。洗浄ポンプ５はモータ５１により正逆転自在である。そして、洗浄ポンプ５を正転させると、洗浄水が洗浄ノズル４を介して洗浄槽２内に循環され、洗浄ポンプ５を逆転させると、洗浄槽２内の洗浄水が排水路６を介して排水される。
【００１９】
食器洗浄機は、更に、洗浄槽２内に空気を送風する乾燥ファン７と、残菜フィルタ２３を介して洗浄槽２に連通する水室８１内のフロート８２を有し、洗浄槽２内の水位が所定レベルになったときにオンする水位スイッチ８とを備えている。また、洗浄槽２内の底部には、洗浄槽２内に給水したときに水面下に沈むように図示省略したヒータが設けられている。
【００２０】
食器洗浄機の運転スイッチをオンすると、先ず、給水弁３１が開弁されて、洗浄槽２に給水され、この水に図外の洗剤供給手段から洗剤が混入されて洗浄水が生成される。そして、洗浄槽２内の水位が所定レベルに達して水位スイッチ８がオンしたとき、給水弁３１を閉弁させて、給水を停止する。その後、洗浄水をヒータで加熱しつつ、洗浄ポンプ５を正転させて洗浄水を洗浄ノズル４から噴射させる洗浄運転を所定時間行う。洗浄運転完了後は、洗浄ポンプ５を逆転させて洗浄槽２内の洗浄水を排水する。次に、給水弁３１を開弁させて、洗浄槽２に水位スイッチ８がオンするまで給水した後、洗浄ポンプ６を正転させて洗浄ノズル４から洗剤が混入されていない洗浄水を噴射させるすすぎ運転を所定時間行う。すすぎ運転完了後は、洗浄ポンプ５を逆転させて洗浄槽２内の洗浄水を排水し、次に、洗浄槽２内の空気をヒータで加温しつつ乾燥ファン７により洗浄槽２内に空気を送風する乾燥運転を所定時間行う。
【００２１】
以下、図２〜図５を参照して、洗浄ノズル４について詳述する。洗浄ノズル４は、洗浄槽２内に上下方向の回転軸線回りに回転自在に支持される。具体的に説明すると、洗浄ノズル４に、回転軸線と同心で洗浄ポンプ５からの洗浄水が流入する流入筒部４１を設けている。そして、流入筒部４１の下端部を構成する、洗浄ノズル４の下面から下方に突出する大径筒部４１１を、流入筒部４１の下方位置で洗浄槽２に固定される支持部材２４に立設した筒軸部２４１に外挿し、この筒軸部２４１により大径筒部４１１を介して洗浄ノズル４が上下方向の回転軸線回りに回転自在に、且つ、上下動自在に支持されるようにしている。また、支持部材２４には、筒軸部２４１の内側に位置させて、洗浄ポンプ５に連なるパイプ５２が嵌合するジョイント筒部２４２が設けられている。尚、本実施形態において、支持部材２４は、洗浄槽２に一体であるが、洗浄槽２に固定される限り洗浄槽２と別体であってもよい。
【００２２】
洗浄ノズル４は、洗浄ポンプ５から供給される洗浄水の水流に押されて上動する。そして、食器かご２２に、図１に示す如く、洗浄ノズル４が所定ストローク上動したところで洗浄ノズル４の後述するアームノズル部４４の上面に当接して、洗浄ノズル４がそれ以上上動することを阻止するストッパ部２２１を設けている。尚、支持部材２４にフック部を立設すると共に、洗浄ノズル４が所定ストローク上動したところでフック部に係合する爪部を洗浄ノズル４に垂設して、洗浄ノズル４が所定ストローク以上上動することを阻止することも可能である。然し、これでは、爪部を撓ませてフック部から離脱させないと、洗浄ノズル４を取り外すことができず、作業が面倒になり、更に、幾度もの取り付け取り外しを行うことにより、爪部の破損や摩耗を生じて、洗浄ノズル４の所定ストローク以上の上動を阻止できなくなることもある。これに対し、本実施形態では、食器かご２２を取り外すだけで、洗浄ノズル４を簡単に取り外すことができ、メンテナンス作業性が向上し、更に、爪部と異なりストッパ部２２１の破損や摩耗を生ずることもなく、耐久性に優れる。
【００２３】
また、洗浄ノズル４は、流入筒部４１から上方にのびる中央ノズル部４２を備えている。中央ノズル部４２には、上方に伸縮自在で、周面に洗浄水を噴射する上下複数の噴射部４３１を有する伸縮ノズル部４３が組み付けられている。洗浄ノズル４は、更に、流入筒部４１から径方向外方にのびる一対のアームノズル部４４，４４を備えている。各アームノズル部４４は、洗浄水を上方に噴射する複数の洗浄噴射部４４１と、流入筒部４１内に連通し洗浄噴射部４４１に洗浄水を導く洗浄流路４４２とを備えている。また、洗浄ノズル４の回転方向一方（例えば、図４で時計方向）を正転方向、回転方向他方（例えば、図４で反時計方向）を逆転方向として、各アームノズル部４４には、洗浄水を逆転方向の方向成分を持って噴射させて洗浄ノズル４に正転方向の回転力を付与する先端の第１回転噴射部４４３と、洗浄水を正転方向の方向成分を持って噴射させて洗浄ノズル４に逆転方向の回転力を付与する先端の第２回転噴射部４４４と、流入筒部４１内に連通し第１回転噴射部４４３に洗浄水を導く第１流路４４５と、流入筒部４１内に連通し第２回転噴射部４４４に洗浄水を導く第２流路４４６とが設けられている。尚、洗浄流路４４２と第１と第２の各流路４４５，４４６は、流入筒部４１の周壁部に開設した各連通口４４２ａ、４４５ａ，４４６ａを介して流入筒部４１内に連通する。
【００２４】
流入筒部４１内には、回転及び上下動自在で、流入筒部４１内に対する第１と第２の各流路４４５，４４６の連通口４４５ａ，４４６ａの開度を可変する弁体４５が設けられている。弁体４５は、流入筒部４１に挿入される筒部４５０を有し、この筒部４５０の周壁部に、第１弁口４５１とその周方向片側に隣接する第２弁口４５２とを夫々点対称の位置関係で一対に形成している。また、弁体４５の上端には、筒部４５０に流入した洗浄水の一部を中央ノズル部４２内に導く開口部４５３が設けられている。更に、筒部４５０の内周面には、下方から洗浄水が当たることで弁体４５に押し上げ力を付与する受圧部４５４が突設されている。尚、本実施形態では、筒部４５０の上端を全面に亘り開放して、開口部４５３を形成しているが、筒部４５０の上端を閉塞する端壁部を設けて、この端壁部に開口部４５３を開設してもよい。
【００２５】
弁体４５が図４に示す第１回転位置に位置決めされた状態では、第１弁口４５１が洗浄流路４４２の連通口４４２ａ（以下、洗浄流路連通口と記す）に合致し、更に、第２弁口４５２内に第１流路４４５の連通口４４５ａ（以下、第１流路連通口と記す）のほぼ全体が収まり、第１流路連通口４４５ａの開度が第２流路４４６の連通口４４６ａ（以下、第２流路連通口と記す）の開度より大きくなって、第１回転噴射部４４３からの洗浄水の噴射量が多くなり、洗浄ノズル４が正転方向に回転する。
【００２６】
また、弁体４５が図５に示す第２回転位置に位置決めされた状態では、第２弁口４５２が洗浄流路連通口４４２ａに合致し、更に、第１弁口４５１内に第２流路連通口４４６ａのほぼ全体が収まり、第２流路連通口４４６ａの開度が第１流路連通口４４５ａの開度より大きくなって、第２回転噴射部４４４からの洗浄水の噴射量が多くなり、洗浄ノズル４が逆転方向に回転する。尚、本実施形態では、弁体４５の第１と第２の各回転位置において、第１流路連通口４４５ａと第２流路連通口４４６ａとのうち開度が小さい方の連通口が若干開いているが、この連通口を全閉状態にすることも可能である。
【００２７】
ここで、弁体４５は、周方向一方に９０°回転する度に、第１流路連通口４４５ａの開度が第２流路連通口４４６ａの開度より大きくなる第１回転位置と、第２流路連通口４４６ａの開度が第１流路連通口４４５ａの開度より大きくなる第２回転位置とに交互に切り替わる。そして、洗浄ポンプ５の一時停止後の再駆動で弁体４５が一旦下動してから上動する度に、後述するカム機構４６の働きで弁体４５が第１回転位置と第２回転位置に交互に位置決めされ、第１流路４４５と第２流路４４６とに交互に洗浄水が供給されて、洗浄ノズル４の回転方向が正転方向と逆転方向とに繰り返し反転される。
【００２８】
図６及び図７を参照して、カム機構４６は、弁体４５の上端に周方向に並べて複数設けた第１カム部４６１と、流入筒部４１の上部に周方向に並べて複数設けた第１ガイド部４６２と、弁体４５の下端に周方向に並べて複数設けた第２カム部４６３と、支持部材２４の筒軸部２４１とジョイント筒部２４２との間の部分に周方向に並べて複数設けた第２ガイド部４６４と、流入筒部４１の大径筒部４１１に周方向に並べて複数設けた第３カム部４６５と、支持部材２４の筒軸部２４１の上端に周方向に並べて複数設けた第３ガイド部４６６とで構成されている。
【００２９】
各第１カム部４６１は、周方向一方（図７で左方）に向けて上方に傾斜した第１の斜辺部を有しており、各１ガイド部４６２も周方向一方に向けて上方に傾斜した第１の斜辺部を有している。弁体４５が洗浄ノズル４に対し上動すると、各第１カム部４６１の第１の斜辺部に各第１ガイド部４６２の第１の斜辺部が当接して、弁体４５が周方向一方に一定角度回転した位置、即ち、各第１カム部４６１の第１の斜辺部の下端及び上端が夫々各第１ガイド部４６２の第１の斜辺部の下端及び上端に到達した位置に位置決めされる。そして、各第１カム部４６１が各第１ガイド部４６２に当接して位置決めされた状態から当該各第１ガイド部４６２の周方向一方に隣接する各第１ガイド部４６２に当接して位置決めされた状態に切り替わる度に、弁体４５の回転位置が第１回転位置と第２回転位置とに交互に切り替わるようにしている。
【００３０】
各第２カム部４６３は、周方向一方に向けて下方に傾斜した第１の斜辺部を有しており、各第２ガイド部４６４も周方向一方に向けて下方に傾斜した第１の斜辺部を有している。弁体４５が下動すると、各第２カム部４６３の第１の斜辺部に各第２ガイド部４６４の第１の斜辺部が当接して、弁体４５が周方向一方に一定角度回転した位置、即ち、各第２カム部４６３の第１の斜辺部の下端及び上端が夫々各第２ガイド部４６４の第１の斜辺部の下端及び上端に到達した位置に位置決めされる。
【００３１】
尚、第１カム部４６１と第１ガイド部４６２は、上記第１の斜辺部の下端から周方向他方（図７で右方）に向けて上方に傾斜した第２の斜辺部を有し、第２カム部４６３と第２ガイド部４６４も、上記第１の斜辺部の上端から周方向他方に向けて下方に傾斜した第２の斜辺部を有している。然し、後述する如く、弁体４５の上動に際して、第１カム部４６１と第１ガイド部４６２とが第２の斜辺部同士で当接したり、弁体４５の下動に際して、第２カム部４６３と第２ガイド部４６４とが第２の斜辺部同士で当接したりすることはない。
【００３２】
各第３カム部４６５は、周方向一方に向けて下方に傾斜した第１の斜辺部とその上端から周方向他方に向けて下方に傾斜した第２の斜辺部とを有しており、各第３ガイド部４６６も、周方向一方に向けて下方に傾斜した第１の斜辺部とその上端から周方向他方に向けて下方に傾斜した第２の斜辺部とを有している。洗浄ノズル４が下動する際に、各第３カム部４６５と各第３ガイド部４６６とが第１の斜辺部同士で当接すれば、洗浄ノズル４が周方向一方に回転して、各第３カム部４６５の第１の斜辺部の下端及び上端が夫々各第３ガイド部４６６の第１の斜辺部の下端及び上端に到達した位置に位置決めされ、また、各第３カム部４６５と各第３ガイド部４６６とが第２の斜辺部同士で当接すれば、洗浄ノズル４が周方向他方に回転して、各第３カム部４６５の第２の斜辺部の下端及び上端が夫々各第３ガイド部４６６の第２の斜辺部の下端及び上端に到達した位置に位置決めされる。このようにして位置決めされた回転位置に洗浄ノズル４が存すると、各第１ガイド部４６２が各第２ガイド部４６４に対し周方向に所定の位置関係、即ち、各第２カム部４６３と各第２ガイド部４６４との当接により位置決めされた回転位置から弁体４５が洗浄ノズル４に対し上動したときに、各第１カム部４６１が弁体４５下動前に当接していた各第１ガイド部４６２の周方向一方に隣接する各第１ガイド部４６２に当接するように設定された所定の位置関係になる。
【００３３】
尚、各第３カム部４６５と各第３ガイド部４６６との当接で位置決めされた回転位置に洗浄ノズル４が存する状態では、弁体４５の回転位置が各第１カム部４６１と各第１ガイド部４６２との当接で位置決めされた位置であると、図７（ａ）で示す如く、各第２カム部４６３の第１の斜辺部の下端が各第２ガイド部４６４の第１の斜辺部の上端よりも周方向一方にずれた位置に存し、その後の弁体４５の下動で各第２カム部４６３と各第２ガイド部４６４とが第１の斜辺部同士で当接し、また、弁体４５の回転位置が各第２カム部４６３と各第２ガイド部４６４との当接により位置決めされた位置になると、図７（ｂ）に示す如く、各第１カム部４６１の第１の斜辺部の上端が各第１ガイド部４６２の第１の斜辺部の下端よりも周方向一方にずれた位置に変位し、その後の弁体４５の上動で各第１カム部４６１と各第１ガイド部４６２とが第１の斜辺部同士で当接する。従って、上述した通り、弁体４５の上動に際して、各第１カム部４６１と各第１ガイド部４６２とが第２の斜辺部同士で当接したり、弁体４５の下動に際して、各第２カム部４６３と各第２ガイド部４６４とが第２の斜辺部同士で当接したりすることはない。
【００３４】
洗浄ポンプ５を停止すると、洗浄ノズル４が下動して、図７（ａ）に示す如く、各第３カム部４６５が各第３ガイド部４６６に当接して、洗浄ノズル４が上述した回転位置に位置決めされる。続いて、弁体４５が洗浄ノズル４に対し下動し、図７（ｂ）に示す如く、各第１カム部４６１が各第１ガイド部４６２から離れると共に、各第２カム部４６３が各第２ガイド部４６４に当接し、弁体４５が周方向一方に一定角度回転した位置に位置決めされる。その後、洗浄ポンプ５を駆動すると、弁体４５が洗浄ノズル４に対し上動し、図７（ｃ）に示す如く、各第２カム部４６３が各第２ガイド部４６４から離れると共に、各第１カム部４６１が弁体４５下動前に当接していた各第１ガイド部４６２の周方向一方に隣接する第１ガイド部４６２に当接して、弁体４５が周方向一方に一定角度回転した位置に位置決めされる。図７（ｃ）に示す状態での弁体４５の回転位置は、図７（ａ）に示す状態での弁体４５の回転位置が第１回転位置であれば第２回転位置となり、図７（ａ）に示す状態での弁体４５の回転位置が第２回転位置であれば第１回転位置となる。続いて、洗浄ノズル４が上動し、各第３カム部４６５が各第３ガイド部４６６から離れて、洗浄ノズル４が正転方向（弁体４５が第１回転位置に存する場合）又は逆転方向（弁体４５が第２回転位置に存する場合）に回転する。
【００３５】
ところで、食器洗浄機をある程度使用すると、洗浄水に含まれる食品かす等の異物が流入筒部４１内に溜り、弁体４５が異物の影響で正常に動作しなくなって、洗浄ノズル４の第１流路４４５と第２流路４４６に交互に洗浄水を供給できなくなることがある。そのため、流入筒部４１から弁体４５を取り出して、弁体４５及び流入筒部４１の内部を定期的に清掃することが望まれる。ここで、本実施形態によれば、弁体４５に設けた第２カム部４６３に当接する第２ガイド部４６４を洗浄槽２に固定の支持部材２４に設けるため、洗浄ノズル４を持ち上げて取り外すことにより、第２カム部４６３と第２ガイド部４６４との干渉を生ずることなく、流入筒部４１から弁体４５を取り出すことができる。従って、弁体４５を取り出すために、流入筒部４１を洗浄ノズル４から取り外す必要がなく、弁体４５及び流入筒部４１の洗浄のためのメンテナンス作業性が向上する。
【００３６】
また、本実施形態では、中央ノズル部４２内に洗浄水を導く開口部４５３が設けられる弁体４５の上端とは異なる弁体周壁部に弁口４５１，４５２が開設されるため、開口部４５３と弁口４５１，４５２を比較的大きくすることができる。その結果、洗浄ポンプ５の能力を上げなくても、中央ノズル部４２やアームノズル部４４への洗浄水の供給量を確保でき、ポンプの低騒音化、省電力化を図ることができる。
【００３７】
ところで、上記実施形態では、流入筒部４１の内周面と弁体４５の筒部４５０の外周面とが円筒面であって、弁体４５が円滑に上下動するようにするには、流入筒部４１の内周面と弁体４５の筒部４５０の外周面と間にある程度のクリアランスを確保することが必要になる。そのため、流入筒部４１の内周面と弁体４５の筒部４５０の外周面との間のシール性を確保できず、弁口４５１，４５２に重なる連通口４４２ａ，４４５ａ，４４６ａ以外への洗浄水の洩れを生じてしまう。
【００３８】
そこで、図９に示す実施形態の如く、流入筒部４１の内周面と弁体４５の筒部４５０の外周面とが上方に向かって縮径するテーパー面に形成され、弁体４５が上動した状態で、弁体４５の筒部４５０の外周テーパー面が流入筒部４１の内周テーパー面に接するようにすることが望ましい。これによれば、弁体４５の円滑な上下動を妨げることなく、流入筒部４１の内周面と弁体４５の筒部４５０の外周面との間のシール性を確保して、弁口４５１，４５２に重なる連通口４４２ａ，４４５ａ，４４６ａ以外への洗浄水の洩れを防止できる。
【００３９】
以上、本発明の実施形態について説明したが、本発明はこれに限定されない。例えば、上記実施形態では、第１乃至第３の各カム部４６１，４６３，４６５と第１乃至第３の各ガイド部４６２，４６４，４６６とが共に斜辺部を有しているが、各カム部４６１，４６３，４６５と各ガイド部４６２，４６４，４６６との一方にのみに斜辺部を設けて、他方をこの斜辺部に当接可能な突起部で構成することも可能である。図８はその一例を示すもので、第１カム部４６１に斜辺部を設け、第１ガイド部４６２を突起部で構成している。尚、第１ガイド部に斜辺部を設けて、第１カム部を突起部で構成してもよい。第２カム部と第２ガイド部、及び、第３カム部と第３ガイド部も同様である。
また、上記実施形態において、洗浄ノズル４の第１と第２の両流路４４５，４４６は、洗浄ノズル４の回転方向を切り替えるための流路であるが、回転方向切り替え以外の例えば洗浄水の噴射量や噴射方向を切り替えるための流路である場合にも同様に本発明を適用できる。
【符号の説明】
【００４０】
２…洗浄槽、２２…食器かご、２２１…ストッパ部、２４…支持部材、４…洗浄ノズル、４１…流入筒部、４４５…第１流路、４４５ａ…第１流路の連通口、４４６…第２流路、４４６ａ…第２流路の連通口、４５…弁体、４５０…筒部、４５１，４５２…弁口、４５３…開口部、４６１…第１カム部、４６２…第１ガイド部、４６３…第２カム部、４６４…第２ガイド部、４６５…第３カム部、４６６…第３ガイド部。
【図１】
2018061821.tif 000003
【図２】
2018061821.tif 000004
【図３】
2018061821.tif 000005
【図４】
2018061821.tif 000006
【図５】
2018061821.tif 000007
【図６】
2018061821.tif 000008
【図７】
2018061821.tif 000009
【図８】
2018061821.tif 000010
【図９】
2018061821.tif 000011